(57)【要約】【課題】ＩＣカードリーダーを容易に取り付けることができる取り付け性能に優れた、ＩＣカードリーダー取付部及びそれを備えた画像形成装置を提供する。【解決手段】装置に接続するためのケーブルを備えたＩＣカードリーダー２０を保持するホルダー２１と、前記ホルダー２１を収納する収納部２ａａが形成されたハウジング２と、を備え、前記収納部２ａａは底面２ａｂと側面２ａｃにより囲まれて一面に開口部が形成されており、前記収納部内２ａａには前記ケーブルを接続するコネクタと、前記ホルダー２１を前記開口部から挿入する際に前記収納部２ａａ内へ案内するガイド１０とが配置され、前記ホルダー２１の表面側には前記ＩＣカードリーダー２０を載置する載置部２１ａが形成され、前記ホルダー２１の裏面側には前記ガイド１０に係合する係合部２３を備える、ことを特徴とするＩＣカードリーダー取付部１。【選択図】図５
2016060174.tif 000002
【特許請求の範囲】
【請求項１】
装置に接続するためのケーブルを備えたＩＣカードリーダーを保持するホルダーと、
前記ホルダーを収納する収納部が形成されたハウジングと、を備え
前記収納部は底面と側面により囲まれて一面に開口部が形成されており、
前記収納部内には前記ケーブルを接続するコネクタと、前記ホルダーを前記開口部から挿入する際に前記収納部内へ案内するガイドとが配置され、
前記ホルダーの表面側には前記ＩＣカードリーダーを載置する載置部が形成され、前記ホルダーの裏面側には前記ガイドに係合する係合部を備える、ことを特徴とするＩＣカードリーダー取付部。
【請求項２】
前記ホルダーは、裏面側に前記ケーブルを巻き取る部分を有する、請求項１に記載のＩＣカードリーダー取付部。
【請求項３】
前記ガイドは、前記ホルダーの係合部を前記収納部内へ案内するレール部と、前記ホルダーの係合部の抜けを防止する抜け防止部とを有する、請求項１又は２に記載のＩＣカードリーダー取付部。
【請求項４】
前記ガイドは、前記ハウジングの底面に対し前記ホルダーの挿入方向に傾斜する状態で配置されている、請求項１〜３のいずれか一項に記載のＩＣカードリーダー取付部。
【請求項５】
前記ガイドは、前記ハウジングの奥側から手前側に向けて傾斜が大きくなる状態で配置されている、請求項４に記載のＩＣカードリーダー取付部。
【請求項６】
前記ガイドは、前記ハウジング内の底面の略中央部に設置されている、請求項１〜５のいずれか一項に記載のＩＣカードリーダー取付部。
【請求項７】
請求項１〜６のいずれか一項に記載のＩＣカードリーダー取付部を備えたことを特徴とする画像形成装置。
【発明の詳細な説明】
【技術分野】
【０００１】
本発明は、ＩＣカードリーダー取付部及びそれを備えた画像形成装置に関する。
【背景技術】
【０００２】
従来、画像形成装置に対するセキュリティ強化等の要求により、個人情報、セキュリティ認証情報等のＩＣカード情報を読み取るＩＣカードリーダーを備えた画像形成装置が知られている。そして、ＩＣカードから読み取られた情報が適正であれば画像形成装置が作動し、読み取られた情報が適正でない場合は画像形成装置の作動を停止することで、画像形成装置の不正使用を防止する。
【０００３】
このような画像形成装置として、例えば特許文献１には、ＩＣカードリーダーとＩＣカードリーダー取付部との間に弾性体を設けることにより、ＩＣカードをＩＣカードリーダーに接触させたときの衝撃を吸収するようにした画像形成装置が開示されている。
【先行技術文献】
【特許文献】
【０００４】
【特許文献１】特開２０１０−２７１６７１号公報
【発明の概要】
【発明が解決しようとする課題】
【０００５】
通常、ＩＣカードリーダーはオプションであり、サービスマンにより画像形成装置のＩＣカードリーダー取付部に取り付けられる。しかしながら、ＩＣカードリーダーを取り付ける際に、ＩＣカードリーダー取付部の入口が小さくＩＣカードリーダーの取り付けが困難で、またＩＣカードリーダーのＵＳＢケーブル等の線材を挟んでしまう等の問題があり、取り付け性能が劣っていた。そこで、ＩＣカードリーダー取付部の入口を大きくしたり、線材を挟まないようにＩＣカードリーダー取付部の内部スペースを広げることも考えられるが、ＩＣカードリーダー取付部や画像形成装置等の機械本体が大きくなるため、コスト的に好ましくない。
【０００６】
本発明は、ＩＣカードリーダーを容易に取り付けることができる取り付け性能に優れた、ＩＣカードリーダー取付部及びそれを備えた画像形成装置を提供することを目的とする。
【課題を解決するための手段】
【０００７】
上記目的を達成するため、本発明は、装置に接続するためのケーブルを備えたＩＣカードリーダーを保持するホルダーと、前記ホルダーを収納する収納部が形成されたハウジングと、を備え前記収納部は底面と側面により囲まれて一面に開口部が形成されており、前記収納部内には前記ケーブルを接続するコネクタと、前記ホルダーを前記開口部から挿入する際に前記収納部内へ案内するガイドとが配置され、前記ホルダーの表面側には前記ＩＣカードリーダーを載置する載置部が形成され、前記ホルダーの裏面側には前記ガイドに係合する係合部を備えるＩＣカードリーダー取付部を特徴とする。
【０００８】
また、本発明は、前記ＩＣカードリーダー取付部を備えた画像形成装置を特徴とする。
【発明の効果】
【０００９】
本発明は、ＩＣカードリーダーをＩＣカードリーダー取付部に容易に取り付けることができ、ＵＳＢケーブル等の線材を挟むことを回避することが可能であるため、取り付け性能に優れている。
【図面の簡単な説明】
【００１０】
【図１】本発明の実施形態に係るＩＣカードリーダー取付部を備えたカラー複合機の外観構成を示す斜視図である。
【図２】本発明の実施形態に係るＩＣカードリーダー取付部の内部構造を示す斜視図である。
【図３】本発明の実施形態に係るＩＣカードリーダー取付部へのＩＣカードリーダーの取付手順を示す側面断面図である。
【図４】本発明の実施形態に係るＩＣカードリーダー取付部に、ＩＣカードリーダーを取付けた状態を示す側面断面図である。
【図５】本発明の実施形態に係るＩＣカードリーダー取付部に、ＩＣカードリーダーを取付けた状態を、カラー複合機の斜め前方（手前側）から見た断面図である。
【図６】本発明の実施形態に係るＩＣカードリーダー取付部に、ＩＣカードリーダーを取付けた状態を、カラー複合機の前方（手前側）から見た断面図である。
【図７】本発明の実施形態に係るＩＣカードリーダー取付部に、ＩＣカードリーダーを取付けた状態を、カラー複合機の後方（奥側）から見た断面図である。
【発明を実施するための形態】
【００１１】
以下、図面を参照しながら本発明の実施形態について説明する。図１は、本発明の実施形態に係るＩＣカードリーダー取付部１を備えたカラー複合機１００の外観構成を示す斜視図である。
図１において、カラー複合機１００は、本体ハウジング３０と、本体ハウジング３０の上部に配設された上ハウジング３１とを備える。上ハウジング３１内には、原稿の画像を電気信号として読み取るための画像読取部が設けられている。本体ハウジング３０内には、読み取った原稿画像の電気信号に基づいて用紙に画像を形成するための各種機構が設けられている。
【００１２】
本体ハウジング３０は、下ハウジング３０ａと、その上方かつ装置（カラー複合機１００）奥側に沿って位置し、上ハウジング３１に連結される連結ハウジング３０ｂとから構成されている。下ハウジング３０ａの内部には、用紙を給紙する給紙機構３６や、用紙上にトナー画像を形成する画像形成部や、用紙上のトナー画像を定着するための定着部等が設けられている。連結ハウジング３０ｂの内部には、定着後の用紙を搬送して排出するための用紙排出部が設けられている。
【００１３】
また、上ハウジング３１の直下における連結ハウジング３０ｂの側方には、装置の正面側に向けて大きく開放された胴内排紙空間が形成されている。下ハウジング３０ａの下部には、種々のサイズの用紙を収納し、正面から出し入れ可能な給紙カセット３６（給紙機構）が配設されている。
【００１４】
上ハウジング３１の上面には、透明なガラス板からなる原稿載置台（図示せず）や、装置前面側に突出した操作パネル３２が配設されている。更に、上ハウジング３１の上方には、原稿載置台における画像読取位置に原稿を搬送するための原稿搬送装置３３を搭載した原稿押さえ３４が、上ハウジング３１の背面のヒンジ部（図示せず）によって開閉自在に支持されている。
【００１５】
操作パネル３２は、操作パネル３５と、操作パネル３５の左側に隣接して配置されるＩＣカードリーダー取付部１とで構成されている。
操作パネル３５は、液晶表示部３５ａと、操作キー３５ｂ等を有する。液晶表示部３５ａは、カラー複合機１００の状態を示したり、画像形成状況や印刷部数を表示したりするようになっている。操作キー３５ｂは、画像形成を中止する際等に使用するストップ／クリアボタンや、各種設定を行う際に使用する設定キー等からなる。
【００１６】
図２は、本発明の実施形態に係るＩＣカードリーダー取付部１の内部構造を示す斜視図である。
ＩＣカードリーダー取付部１は、ハウジング２と、ガイド１０と、ＩＣカードリーダー２０（図３参照）を保持するホルダー２１（図３参照）等を有する。
【００１７】
ハウジング２は、操作パネル３５（図１参照）と一体形成されたハウジング本体２ａと、カバー部２ｂとで構成されている。
ハウジング本体２ａ内には、ホルダー２１（図３参照）に保持されたＩＣカードリーダー２０（図３参照）を収納する収納部２ａａが形成されている。収納部２ａａは底面２ａｂと四つの側面２ａｃに囲まれた略矩形箱状であり、上方は開口になっている。
操作パネル３５側の側面２ａｃの奥端部には、ＩＣカードリーダー２０（図３参照）に接続するＵＳＢコネクター（図示せず）を差し込むＵＳＢ差込口４が形成されている。収納部２ａａの装置手前左端部にはホルダー２１（図３参照）の端部をビス止めするビス止め部３が形成されている。
【００１８】
カバー部２ｂは中央部に開口部２ｂａを有する額縁状であり、収納部２ａａの開口を覆うように取り付けられる。カバー部２ｂの開口部２ｂａには、内部のＩＣカードリーダー２０（図３参照）を視認可能とするために透明カバー３７（図１参照）が嵌め込まれる。
【００１９】
ガイド１０は、レール部１１と、抜け防止部１２とを有し、ホルダー２１（図３参照）の係合部２３（図３参照）と係合して、ホルダー２１（図３参照）をハウジング２内へ案内する。
レール部１１は装置前後方向（ホルダーの挿入方向）に延びる略台形状の薄板で、斜辺上に長板状の抜け防止部１２が設けられる。
【００２０】
抜け防止部１２は、ホルダー２１（図３参照）の係合部２３（図３参照）がガイド１０から抜けるのを防止する。なお、ホルダー２１および係合部２３の詳細については、後述する。
【００２１】
レール部１１と抜け防止部１２とは一体形成され、この一体成形物が左右一組で１個のガイド１０を構成する。ガイド１０は、ハウジング本体２ａ内の底面２ａｂの略中央部に配置されている。
【００２２】
レール部１１の先端（奥側）には、ガイド１０に案内されたホルダー２１（図３参照）の挿入を規制する挿入規制部（ストッパー）１３が設けられている。ホルダー２１（図３参照）の挿入時に、係合部２３（図３参照）の先端（奥側）が挿入規制部（ストッパー）１３に当接し、ホルダー２１の挿入が規制（ストップ）される。
【００２３】
ガイド１０は、ハウジング本体２ａの底面２ａｂに対し装置奥側から手前側（ホルダー２１の挿入方向）に向けて傾斜が大きくなるように配置されている。ガイド１０の傾斜角は、ハウジング２やホルダー２１等の大きさにより異なるが、ハウジング２内へのホルダー２１の挿入しやすさの点から、５〜６０°の範囲が好ましく、特に好ましくは１０〜３０°である。
【００２４】
図３は、本発明の実施形態に係るＩＣカードリーダー取付部１へのＩＣカードリーダー２０の取付手順を示す側面断面図である。図４は、本発明の実施形態に係るＩＣカードリーダー取付部１に、ＩＣカードリーダー２０を取付けた状態を示す側面断面図である。図５は、本発明の実施形態に係るＩＣカードリーダー取付部１に、ＩＣカードリーダー２０を取付けた状態を、カラー複合機１００の斜め前方（手前側）から見た断面図である。図６は、本発明の実施形態に係るＩＣカードリーダー取付部１に、ＩＣカードリーダー２０を取付けた状態を、カラー複合機１００の前方（手前側）から見た断面図である。図７は、本発明の実施形態に係るＩＣカードリーダー取付部１に、ＩＣカードリーダー２０を取付けた状態を、カラー複合機１００の後方（奥側）から見た断面図である。
【００２５】
ホルダー２１は、表面側にＩＣカードリーダー２０を載置する載置部２１ａを有する平板状部材である。なお、ホルダー２１は、一般に使用されているＩＣカードリーダー２０を載置可能な大きさに設計されている。
ホルダー２１の裏面側には略楕円形状の外周に段差部２１ｂが形成されて、段差部２１ｂにはＩＣカードリーダー２０のＵＳＢケーブルが巻き取られている。なお、図３〜図７において２２は、ＵＳＢケーブルが巻き取られて束になっている状態を示す。
【００２６】
ホルダー２１の裏面の段差部２１ｂの略中央部には、ガイド１０と係合する係合部２３が突出して配置されている。
係合部２３は、断面が略２段底構造の左右の側壁を有し、左右の側壁で、レール部１１と抜け防止部１２とからなるガイド１０を外側から係合するよう構成されている。
【００２７】
次に、図３〜図７を用いて、本発明の実施形態に係るＩＣカードリーダー取付部１へのＩＣカードリーダー２０の取付手順を説明する。図３はＩＣカードリーダー取付部１の取付完了前の状態、図４〜図７はＩＣカードリーダー取付部１の取付完了後の状態を示す。
【００２８】
まず、図３に示すように、ホルダー２１の載置部２１ａにＩＣカードリーダー２０を載置する。また、ＩＣカードリーダー２０のＵＳＢケーブルをホルダー２１の段差部２１ｂに巻き付けて所定の長さに調節した後、ＵＳＢコネクター（図示せず）を、ハウジング本体２ａ内のＵＳＢ差込口４に差し込む。
【００２９】
続いて、ＩＣカードリーダー２０を収納したホルダー２１の裏面の係合部２３を、ハウジング２内に設置したガイド１０に沿って、収納部２ａａの奥側へ挿入する。そして、ホルダー２１の端部（挿入方向後端）が収納部２ａａ内に収納されると、ホルダー２１の端部を下に押し下げ、収納部２ａａ内のガイド１０に沿って略平行に奥側まで完全に挿入し、ホルダー２１を収納部２ａａ内に収納する。すなわち、ホルダー２１の挿入当初は、ガイド１０に対してやや鋭角に挿入し、ホルダー２１の端部（挿入方向後端）が収納部２ａａ内に収納された後は、ガイド１０に沿って略平行に挿入する。
【００３０】
ホルダー２１の端部をカバー部２ｂのビス止め部３（図２参照）にビス止めし、ＩＣカードリーダー２０の取り付けを完了する。その後、カバー部２ｂの開口に透明カバー３７（図１参照）を嵌め込む。
【００３１】
本実施形態によれば、ＩＣカードリーダー２０を収納したホルダー２１の係合部２３を、ハウジング２の収納部２ａａ内のガイド１０に沿って、収納部２ａａの奥側に案内して、ホルダー２１を収納部２ａａ内に収納できる。そのため、ＩＣカードリーダー２０をＩＣカードリーダー取付部１に容易に取り付けることができる。また、ＵＳＢケーブルはホルダー２１の外周に巻きつけているため、取付の際にＵＳＢケーブルを挟むことを回避できる。従来は、収納部内に位置決め部を設け、収納部内にホルダーを収容する際に、ホルダーの上下方向の位置決めを行うため、取り付け性能が劣っていた。本実施形態によれば、収納部２ａａ内に設置したガイド１０に沿ってホルダー２１を収容するため、ホルダー２１の上下方向の位置決めを同時に行うことができ、ＩＣカードリーダー２０の取り付け性能が向上する。
【００３２】
上記実施形態では、ガイド１０は、収納部２ａａの底面２ａｂの略中央部に配置されているが、ガイド１０の設置位置は特に限定するものではない。ただし、ガイド１０をハウジング本体２ａの奥側に近づけすぎると、ＵＳＢ差込口４へのＵＳＢコネクター（図示せず）の差し込みが困難になるおそれがあるため、収納部２ａａの底面２ａｂの略中央部に配置することが好ましい。
【００３３】
上記実施形態では、収納部２ａａの略中央部に、ガイド１０を１ヶ所だけ設置しているが、ガイド１０の設置個数に限定はなく、収納部２ａａの底面２ａｂの左右両側に、ガイドを１ヶ所ずつ（合計２ヶ所）設置してもよい。
【００３４】
また、ガイド１０の大きさ、例えば、レール部１１の長手方向（置前後方向）の長さも特に限定はなく、収納部２ａａやホルダー２１等の大きさにより適宜変更することができる。
【００３５】
なお、上記実施形態では、ガイド１０はレール部１１と抜け防止部１２とから構成しているが、これに限定されるものではない。
【００３６】
また、上記実施形態では、ホルダー２１の係合部２３は、レール部１１と抜け防止部１２とから構成されるガイド１０の外側と係合する構成としたが、係合部２３の形状はガイド１０と係合するものであれば特に限定はない。例えば、ホルダー２１の係合部２３を、ガイド１０の内側（左右のレール部１１とレール部１１との間）と係合する構成としてもよい。
【００３７】
また、本発明のＩＣカードリーダー取付部１は、図１に示したカラー複合機１００に限らず、カラープリンターやデジタル或いはアナログ方式のモノクロ複合機、モノクロプリンター、インクジェット方式の画像形成部を備えたカラー複合機やカラープリンター等、他の画像形成装置にも適用でき、画像形成装置以外の電子機器のＩＣカードリーダー取付部にも適用できるのはもちろんである。
【００３８】
本発明の実施形態を説明したが、本発明の範囲はこれに限定されるものではなく、発明の主旨を逸脱しない範囲で種々の変更を加えて実施することができる。
【産業上の利用可能性】
【００３９】
本発明は、ＩＣカードリーダーが搭載される、複写機、プリンター、ファクシミリ等の画像形成装置に利用可能である。
【符号の説明】
【００４０】
１  ＩＣカードリーダー取付部
２  ハウジング
２ａａ  収納部
１０  ガイド
１１  レール部
１２  抜け防止部
２０  ＩＣカードリーダー
２１  ホルダー
２１ａ  載置部
２３  係合部
１００  カラー複合機（画像形成装置）
【図１】
2016060174.tif 000003
【図２】
2016060174.tif 000004
【図３】
2016060174.tif 000005
【図４】
2016060174.tif 000006
【図５】
2016060174.tif 000007
【図６】
2016060174.tif 000008
【図７】
2016060174.tif 000009